(57)【要約】【課題】用紙を載せる用紙台の振動が装置本体に伝わることを抑制する。【解決手段】用紙揃え部１００は、コンパイルトレイ１０２と、コンパイルトレイ１０２上の記録用紙Ｐを位置決めするタンパ１０４Ａ、１０４Ｂと、コンパイルトレイ１０２の一方の端部を本体フレーム１０８、１０９に取り付けるネジ１１０とを有している。ここで、コンパイルトレイ１０２は、一方の端部が本体フレーム１０８、１０９に取り付けられ、片持ち状態となっているので、コンパイルトレイ１０２から本体フレーム１０８、１０９に伝わる振動の経路が少なくなる。これにより、用紙揃え部１００では、コンパイルトレイ１０２の振動が本体フレーム１０８、１０９に伝わることが抑制される。【選択図】図５
2015009990.tif 000002
【特許請求の範囲】
【請求項１】
用紙を載せる板部を備えた用紙台と、
駆動により移動して前記板部上の用紙を位置決めする位置決め部材と、
前記用紙台における前記位置決め部材の移動方向と交差する交差方向の一方の端部を、他方の端部が上下方向に変位可能となるように装置本体に取り付ける取付手段と、
を有する用紙処理装置。
【請求項２】
前記用紙台は、樹脂で構成されている請求項１に記載の用紙処理装置。
【請求項３】
前記交差方向における前記用紙台の他方の端部と前記装置本体との間に配置され、前記用紙台の振動を吸収し、前記用紙台の他方の端部を支持する支持部材が設けられている請求項１又は請求項２に記載の用紙処理装置。
【請求項４】
前記移動方向における前記用紙台の端部と前記装置本体との間に配置され、前記用紙台の振動を吸収する吸収部材が設けられている請求項１から請求項３のいずれか１項に記載の用紙処理装置。
【請求項５】
前記取付手段は、前記用紙台の前記一方の端部の前記移動方向における中央部のみを前記装置本体に取り付ける請求項１から請求項４のいずれか１項に記載の用紙処理装置。
【請求項６】
前記用紙台における前記位置決め部材の移動範囲とは異なる範囲で移動し、前記板部上に載せられた用紙を綴じ、又は用紙に孔をあける用紙処理手段が、前記用紙台の前記取付手段で取り付けられた側とは反対側の端部に配置されている請求項１から請求項５のいずれか１項に記載の用紙処理装置。
【発明の詳細な説明】
【技術分野】
【０００１】
本発明は、用紙処理装置に関する。
【背景技術】
【０００２】
特許文献１の用紙処理装置は、用紙の横整合板と処理トレイとの隙間を緩衝部材で埋めることにより、用紙の整合動作中、動作開始、及び停止時における横整合板の振動を抑制している。
【先行技術文献】
【特許文献】
【０００３】
【特許文献１】特開２０１０−２６５１１６号公報
【発明の概要】
【発明が解決しようとする課題】
【０００４】
本発明は、用紙を載せる用紙台の振動が装置本体に伝わることを抑制することができる用紙処理装置を得ることを目的とする。
【課題を解決するための手段】
【０００５】
本発明の請求項１に係る用紙処理装置は、用紙を載せる板部を備えた用紙台と、駆動により移動して前記板部上の用紙を位置決めする位置決め部材と、前記用紙台における前記位置決め部材の移動方向と交差する交差方向の一方の端部を、他方の端部が上下方向に変位可能となるように装置本体に取り付ける取付手段と、を有する。
【０００６】
本発明の請求項２に係る用紙処理装置は、前記用紙台は、樹脂で構成されている。
【０００７】
本発明の請求項３に係る用紙処理装置は、前記交差方向における前記用紙台の他方の端部と前記装置本体との間に配置され、前記用紙台の振動を吸収し、前記用紙台の他方の端部を支持する支持部材が設けられている。
【０００８】
本発明の請求項４に係る用紙処理装置は、前記移動方向における前記用紙台の端部と前記装置本体との間に配置され、前記用紙台の振動を吸収する吸収部材が設けられている。
【０００９】
本発明の請求項５に係る用紙処理装置は、前記取付手段は、前記用紙台の前記一方の端部の前記移動方向における中央部のみを前記装置本体に取り付ける。
【００１０】
本発明の請求項６に係る用紙処理装置は、前記用紙台における前記位置決め部材の移動範囲とは異なる範囲で移動し、前記板部上に載せられた用紙を綴じ、又は用紙に孔をあける用紙処理手段が、前記用紙台の前記取付手段で取り付けられた側とは反対側の端部に配置されている。
【発明の効果】
【００１１】
請求項１の発明は、用紙台の両側部を装置本体に固定した構成に比べて、用紙を載せる用紙台の振動が装置本体に伝わることを抑制することができる。
【００１２】
請求項２の発明は、用紙台が樹脂で構成されていないものに比べて、振動が装置本体に伝わることで生じる音の大きさを低減することができる。
【００１３】
請求項３の発明は、交差方向における用紙台の両側部を装置本体に固定した構成に比べて、振動が装置本体に伝わることで生じる音の大きさを低減することができる。
【００１４】
請求項４の発明は、移動方向における用紙台の両側部を装置本体に固定した構成に比べて、振動が装置本体に伝わることで生じる音の大きさをさらに低減することができる。
【００１５】
請求項５の発明は、交差方向における用紙台の一方の端部を移動方向全体で装置本体に取り付ける構成に比べて、振動が装置本体に伝わることで生じる音の大きさをさらに低減することができる。
【００１６】
請求項６の発明は、用紙を綴じ又は用紙に孔あけする用紙処理手段を取付手段側に配置する構成に比べて、綴じ動作又は孔あけ動作に起因して生じる音の大きさを低減することができる。
【図面の簡単な説明】
【００１７】
【図１】本実施形態に係る画像形成システムの全体構成を示す概略図である。
【図２】（Ａ）本実施形態に係る用紙揃え部の構成を示す概略図である。（Ｂ）本実施形態に係るコンパイルトレイのタイバーへの取り付け状態を示す縦断面図である。
【図３】本実施形態に係るタンパ及びエンドウォールの構成を示す斜視図である。
【図４】本実施形態に係るステープル機構部の構成を示す斜視図である。
【図５】本実施形態に係るコンパイルトレイを本体フレームに取り付けた状態を示す斜視図である。
【図６】本実施形態に係るタンパを駆動する駆動部の構成を示す平面図である。
【図７】本実施形態に係るタンパ及びステープルヘッドの移動範囲を示す模式図である。
【図８】本実施形態に係るタンパ又はステープルヘッドが駆動されたときのコンパイルトレイの振動が低減される状態を示す模式図である。
【発明を実施するための形態】
【００１８】
本発明の実施形態に係る用紙処理装置の一例としての用紙揃え部１００を有する画像形成システム１０について説明する。なお、以下の説明では、図１に矢印Ｘで示す方向（Ｘ方向）を装置幅方向、図１に矢印Ｚで示す方向（Ｚ方向）を装置高さ方向とする。また、Ｘ方向及びＺ方向のそれぞれに直交する方向（Ｙ方向）を装置奥行き方向として矢印Ｙで示す。
【００１９】
[全体構成]
図１には、画像形成システム１０が示されている。画像形成システム１０は、一例として、画像を形成する画像形成装置２０と、後述する用紙揃え部１００を備え、画像形成装置２０によって画像が記録された用紙の一例としての記録用紙Ｐに対して後処理を施す後処理装置３０と、を有している。
【００２０】
＜画像形成装置＞
画像形成装置２０は、搬送路２１に記録用紙Ｐを供給する給紙部２２と、給紙部２２から供給された記録用紙Ｐに画像を形成する画像形成部２４とを有している。画像形成部２４は、感光体２５Ａの外周面を帯電する帯電器２５Ｂと、画像情報に基づいて感光体２５Ａの外周面を露光する露光ユニット２５Ｃと、露光された感光体２５Ａの潜像をトナーで現像する（トナー像を形成する）現像器２５Ｄとを有している。
【００２１】
また、画像形成部２４は、周回移動可能に設けられた中間転写ベルト２６と、トナー像を中間転写ベルト２６に一次転写する一次転写ロール２７と、中間転写ベルト２６で重ねられたトナー像を記録用紙Ｐに二次転写する二次転写ロール２８とを有している。さらに、画像形成部２４は、記録用紙Ｐに二次転写されたトナー像を定着させる定着ユニット２９を有している。なお、画像形成部２４は、一例として、使用するトナー像の色数が４となっており、色毎に感光体２５Ａ、帯電器２５Ｂ、現像器２５Ｄ、及び一次転写ロール２７が設けられている。
【００２２】
また、画像形成装置２０は、画像形成システム１０の各部位の動作を総括的に管理制御する制御装置１４と、ユーザによって操作される操作パネル１６とを有している。操作パネル１６は、一例として、タッチパネル式のディスプレイであり、操作メニューを表示してユーザから処理要求などの操作指示を受け付け、ユーザに対する選択情報や装置の動作状況を表示するようになっている。
【００２３】
＜後処理装置＞
後処理装置３０は、画像形成装置２０から出力された記録用紙Ｐを受け入れると共に、受け入れた記録用紙Ｐに対して予め定められた後処理を施すユニットを複数有している。具体的には、後処理装置３０は、記録用紙Ｐの搬送順にＸ方向に並んだ第１ユニット４０、第２ユニット５０、及び用紙揃え部１００を備えた第３ユニット６０を有している。
【００２４】
（第１ユニット）
第１ユニット４０は、画像形成装置２０の用紙排出口に接続されており、画像形成装置２から出力された記録用紙Ｐを受け入れ、後述するカール補正処理を施した後、第２ユニット５０へ記録用紙Ｐを搬送するようになっている。また、第１ユニット４０は、記録用紙Ｐに対してカール補正を施すカール補正処理部４２と、表紙となる用紙（図示省略）を別に格納して冊子の表紙として供給する（追加する）用紙供給部４４とを有している。
【００２５】
カール補正処理部４２は、スポンジロール４３が、該スポンジロール４３よりも細いロール４５、４６に食い込む程度にニップが形成されたものである。そして、カール補正処理部４２は、画像形成装置２０におけるトナーの融着や定着時の加熱、加圧によりカールした記録用紙Ｐを、スポンジロール４３とロール４５、及びスポンジロール４３とロール４６で挟むことにより、カール補正を行う。
【００２６】
用紙供給部４４は、第１ユニット４０の筐体の上部に設けられた表紙用の厚紙（合紙なども含む）を載せるための給紙トレイ４７と、給紙トレイ４７上の厚紙を１枚ずつ送り出す送出機構４８とを有している。そして、用紙供給部４４により供給された厚紙は、第１ユニット４０内に設けられた用紙案内路４９を通って、第２ユニット５０へ搬送されるようになっている。
【００２７】
（第２ユニット）
第２ユニット５０は、第１ユニット４０の用紙排出口に接続されており、第１ユニット４０から出力された記録用紙Ｐ（厚紙含む）を受け入れ、後述する折り処理を施した後、第３ユニット６０へ記録用紙Ｐを搬送するようになっている。なお、第２ユニット５０は、記録用紙Ｐの折り処理が不要な場合は、記録用紙Ｐを未処理のまま第３ユニットに搬送する。また、第２ユニット５０は、記録用紙Ｐに対して折り処理を施す折り処理部５２を有している。
【００２８】
折り処理部５２は、１回目の折り処理を行う第１折り部５４と、２回目の折り処理を行う第２折り部５６とを有している。第１折り部５４及び第２折り部５６は、それぞれ、記録用紙Ｐを止めるエンドガイド５７と、記録用紙Ｐを折るための折りロール５８とを有している。そして、折り処理部５２では、第１折り部５４及び第２折り部５６において、各エンドガイド５７の進退移動により折り位置を変更するようになっている。また、折り処理部５２は、外部へ引き出し可能なフォルダトレイ５９を有している。
【００２９】
（第３ユニット）
第３ユニット６０は、記録用紙Ｐに必要に応じて孔開け処理を施す孔開け処理部６２と、後述する用紙揃え部１００と、記録用紙Ｐの束を中綴じして製本する製本機能部６４とを有している。さらに、第３ユニット６０は、揃えられた記録用紙Ｐの束を綴じる後述するステープル機構部１６０と、各処理が終了した記録用紙Ｐ（又は束）が積載されるスタッカトレイ１３１とを有している。
【００３０】
＜要部構成＞
次に、用紙揃え部１００について説明する。
【００３１】
図２（Ａ）に示すように、用紙揃え部１００は、用紙台の一例としてのコンパイルトレイ１０２と、コンパイルトレイ１０２上の記録用紙Ｐを位置決めする位置決め部材の一例としてのタンパ１０４Ａ、１０４Ｂとを有している。また、用紙揃え部１００は、コンパイルトレイ１０２を装置本体の一例としての板状のタイバー１０６に取り付ける取付手段の一例としてのネジ１１０を有している。タイバー１０６は、第３ユニット６０の筐体の一部を構成する本体フレーム１０８、１０９にネジ（図示省略）などの締結部材を用いて固定されている。そして、本体フレーム１０８、１０９は装置本体の一例である。
【００３２】
さらに、用紙揃え部１００は、記録用紙Ｐを縦方向（記録用紙Ｐの搬送方向）に揃える縦方向揃え部１２０と、記録用紙Ｐを縦方向に揃えるのを補助する補助部１３０と、記録用紙Ｐの束を押さえる押え部１４０とを有している。加えて、用紙揃え部１００は、記録用紙Ｐを縦方向に揃えるときに突き当て壁となるエンドウォール部１５０と、コンパイルトレイ１０２上で揃えられた記録用紙Ｐの束にステープル綴じを行う用紙処理手段の一例としてのステープル機構部１６０とを有している。また、用紙揃え部１００は、搬送ガイド１０３Ａ、１０３Ｂの間を通って搬送された記録用紙Ｐをコンパイルトレイ１０２上に搬送する搬送ローラ対１０７を有している。
【００３３】
後述するコンパイルトレイ１０２は、搬送方向の下流側が上流側よりもＺ方向で高くなるように傾斜配置されている。ここで、コンパイルトレイ１０２上において、記録用紙Ｐの縦方向（搬送方向）をＴ方向と記載する。なお、Ｔ方向と直交する横方向（記録用紙Ｐの幅方向）は、Ｙ方向に沿っている。言い換えると、Ｙ方向は、後述するタンパ１０４Ａ、１０４Ｂの移動方向の一例であり、Ｙ方向と直交するＴ方向は、交差方向の一例である。また、コンパイルトレイ１０２上の記録用紙Ｐの積載方向（Ｔ方向と直交する高さ方向）をＨ方向（図２（Ｂ）参照）とする。
【００３４】
（縦方向揃え部）
縦方向揃え部１２０は、コンパイルトレイ１０２に供給される記録用紙Ｐを後述するエンドウォール１５１に押し当てる（突き当てる）コンパイルパドル１１１を有している。コンパイルパドル１１１は、ソレノイド１１２及びリンク部材１１３によって、コンパイルトレイ１０２から離れる方向又はコンパイルトレイ１０２に近づく方向に上下動可能となっており、コンパイルトレイ１０２との距離を可変となっている。また、コンパイルパドル１１１には、カールの強い記録用紙Ｐを押さえるため、規制ガイド１１５、１１６が設けられている
【００３５】
さらに、コンパイルパドル１１１は、３本程度の羽根部材を有しており、コンパイルトレイ１０２に供給される記録用紙ＰのＴ方向の後端を、この羽根部材を用いてエンドウォール１５１に押し当てるようになっている。すなわち、この羽根部材の押し当てによって、記録用紙ＰのＴ方向後端を揃えている。
【００３６】
（補助部）
補助部１３０は、コンパイルトレイ１０２に供給される記録用紙Ｐをエンドウォール１５１に押し当てる動作を補助するサブパドル１２１を有している。サブパドル１２１は、ソレノイド１２２及びリンク部材１２４によって、コンパイルトレイ１０２から離れる方向又はコンパイルトレイ１０２に近づく方向に上下動可能となっており、コンパイルトレイ１０２との距離を可変となっている。補助部１３０は、一例として、コンパイルトレイ１０２上の記録用紙Ｐの枚数が５０枚になった時点で、サブパドル１２１の位置を上昇させるようになっている。
【００３７】
また、サブパドル１２１は、３本程度の羽根部材を有しており、コンパイルトレイ１０２に供給される記録用紙Ｐを、この羽根部材を用いてエンドウォール１５１に押し当てるようになっている。すなわち、補助部１３０は、サブパドル１２１の羽根部材の押し当てによって、コンパイルトレイ１０２に供給される記録用紙Ｐの縦揃えを補助している。
【００３８】
（押え部）
押え部１４０は、コンパイルトレイ１０２に形成された貫通孔（図示省略）から外周面がＺ方向に僅かに露出した対向ロール１４２を有している。また、押え部１４０は、対向ロール１４２に向けて記録用紙Ｐを押圧し、記録用紙Ｐの支持及び排出を行うイジェクトロール１４４と、記録用紙Ｐの折部付近を押え込む押込ロール１４６とを有している。押込ロール１４６は、イジェクトロール１４４よりもＴ方向でエンドウォール部１５０側に設けられている。また、イジェクトロール１４４及び押込ロール１４６は、軸部１４８を中心として円弧状に移動可能となっている。
【００３９】
（エンドウォール部）
図２及び図３に示すように、エンドウォール部１５０は、Ｔ方向におけるコンパイルトレイ１０２上の記録用紙Ｐの揃えの基準となるエンドウォール１５１を有している。エンドウォール１５１は、Ｔ方向において、コンパイルトレイ１０２の用紙排出側とは反対側の端部に隣接して配置され、コンパイルトレイ１０２の面外方向（Ｚ方向）に沿って直立している。そして、エンドウォール１５１は、コンパイルトレイ１０２上に積載された記録用紙Ｐの端部が接触することで、この記録用紙Ｐの束をステープル綴じの基準位置に整列させるようになっている。
【００４０】
また、図３に示すように、エンドウォール部１５０は、エンドウォール１５１を退避させる際の駆動源となるモータ１５２と、回転してエンドウォール１５１の開閉を行う軸部１５６と、モータ１５２の駆動力を軸部１５６に伝達するベルト１５３とを有している。そして、エンドウォール部１５０では、軸部１５６の回転により、エンドウォール１５１の後述する天井部１５１Ｃが、開方向（図示の−Ａ方向）及び閉方向（図示の＋Ａ方向）の一方に動作するようになっている。さらに、エンドウォール部１５０は、エンドウォール１５１の閉じた状態、開いた状態を検知するフォトセンサ（図示省略）を有している。
【００４１】
エンドウォール１５１は、記録用紙Ｐの端部を揃える壁部１５１Ａと、壁部１５１Ａの下端からコンパイルトレイ１０２側へ延びる底部１５１Ｂと、壁部１５１Ａの上端からコンパイルトレイ１０２側へ延びる天井部１５１Ｃとで構成されている。壁部１５１Ａのコンパイルトレイ１０２側とは反対側には、天井部１５１Ｃの回転中心となる中心軸１５７と、天井部１５１Ｃを元の配置に戻すスプリング１５８とが設けられている。
【００４２】
ここで、後述するステープル機構部１６０（図４参照）によるステープル綴じのモードは、一例として、積載された記録用紙Ｐの角を１箇所ステープルする単数モードと、記録用紙Ｐの少なくとも２箇所をステープルする複数モードとが選択可能となっている。そして、エンドウォール部１５０では、単数モードのときは、エンドウォール１５１が退避しない。また、エンドウォール部１５０では、複数モードのときは、エンドウォール１５１とステープル機構部１６０とが干渉しないように、エンドウォール１５１をコンパイルトレイ１０２の積載面から退避させる。
【００４３】
エンドウォール１５１が退避のために移動する際、記録用紙Ｐの束によって天井部１５１Ｃが押されて開く。そして、記録用紙Ｐの束とエンドウォール１５１との接触がなくなった時点で、スプリング１５８の付勢力により、天井部１５１Ｃが元の状態（底部１５１Ｂと対向する配置状態）に戻る。
【００４４】
（ステープル機構部）
図４に示すように、ステープル機構部１６０は、ステープル綴じを行うステープルヘッド１６２と、ステープルヘッド１６２を支持するベース１６４と、ベース１６４上に形成されステープルヘッド１６２が動く経路であるレール１６６とを有している。また、ステープル機構部１６０は、ステープルヘッド１６２をＹ方向に移動させるモータ１６８と、ステープルヘッド１６２のホーム位置を検知する位置センサ（図示省略）と、ステープルヘッド１６２のＹ方向中央位置を検知する位置センサ１６９とを有している。
【００４５】
なお、レール１６６は、中央部がＹ方向に沿った直線状に形成されているが、一方の端部と他方の端部は、それぞれ同じ方向に向けて湾曲している。すなわち、レール１６６は、平面視で中央部分が長い直線であるＵ字状に形成されている。そして、レール１６６において、ホーム位置は、一方の端部である図示の手前側の湾曲部に設定されており、中央位置は、Ｙ方向に沿った直線部分の中央に設定されている。
【００４６】
既述の単数モードにおいて、ステープルヘッド１６２は、位置センサ（図示省略）によって検知されるホーム位置に留まり、必要なタイミングで、順次、ステープル綴じを実行する。一方、既述の複数モードにおいて、ステープルヘッド１６２は、位置センサ１６９によって検知される中央位置に待機している。その後、コンパイルトレイ１０２（図３参照）に一纏まりの記録用紙Ｐが積載され、エンドウォール１５１が開いた後、モータ１６８の駆動によりステープルヘッド１６２がステープル位置まで移動し、記録用紙Ｐの複数箇所にステープル綴じを施すようになっている。
【００４７】
また、図７に示すように、ステープルヘッド１６２は、コンパイルトレイ１０２のＴ方向の他端部において、Ｙ方向中央部ではＹ方向に沿って往復移動し、Ｙ方向両端部では斜め方向に移動するようになっている。これにより、ステープルヘッド１６２の移動範囲Ｓ３は、コンパイルトレイ１０２のＴ方向の他端部において、Ｙ方向を長手方向とする長方形状になっている。なお、ステープルヘッド１６２の移動範囲Ｓ３は、後述するタンパ１０４Ａ、１０４Ｂの移動範囲Ｓ１、Ｓ２と異なっている。
【００４８】
（本体フレーム）
図５に示すように、本体フレーム１０８は、Ｚ方向に見てＸ−Ｙ断面がＬ字状に形成されており、Ｘ−Ｚ面に沿って直立する側壁１０８Ａと、側壁１０８ＡのＸ方向一端部で折り曲げられＹ−Ｚ面に沿って直立する取付壁１０８Ｂとを有している。そして、側壁１０８Ａは、コンパイルトレイ１０２のＹ方向一端部と間隔をあけて配置されている。なお、図５では、後述する案内孔１０２Ｃ、１０２Ｄ、及びタンパ１０４Ａ、１０４Ｂ（図３参照）の図示を省略している。
【００４９】
また、本体フレーム１０８の本体フレーム１０９と対向する面（内側面）には、断面がＬ字状のブラケット１７２が取り付けられている。具体的には、ブラケット１７２は、Ｙ−Ｔ面に沿って広がる板状部１７２Ａと、板状部１７２ＡのＹ方向一端部でＹ−Ｔ面に直交する方向に折り曲げられた取付部１７２Ｂとを有している。そして、取付部１７２Ｂは、ネジ（図示省略）を用いて側壁１０８Ａの内側面に締結されている。なお、ブラケット１７２も本体フレーム１０８に含まれる。
【００５０】
一方、本体フレーム１０９は、Ｚ方向に見てＸ−Ｙ断面がＬ字状に形成されており、Ｘ−Ｚ面に沿って直立する側壁１０９Ａと、側壁１０９ＡのＸ方向一端部で折り曲げられＹ−Ｚ面に沿って直立する取付壁１０９Ｂとを有している。そして、側壁１０９Ａは、コンパイルトレイ１０２のＹ方向他端部と間隔をあけて配置されている。
【００５１】
また、本体フレーム１０９の本体フレーム１０８と対向する面（内側面）には、断面がＬ字状のブラケット１７４が取り付けられている。具体的には、ブラケット１７４は、Ｙ−Ｔ面に沿って広がる板状部１７４Ａと、板状部１７４ＡのＹ方向他端部でＹ−Ｔ面に直交する方向に折り曲げられた取付部１７４Ｂとを有している。そして、取付部１７４Ｂは、ネジ（図示省略）を用いて側壁１０９Ａの内側面に締結されている。なお、ブラケット１７４も本体フレーム１０９に含まれる。
【００５２】
（タイバー）
図５に示すように、タイバー１０６は、一例として、Ｙ方向を長手方向、Ｚ方向を短手方向、Ｘ方向を厚み方向とする矩形状の板材で構成されている。そして、タイバー１０６は、Ｙ方向の一端がネジ（図示省略）により取付壁１０８Ｂの内側面に取り付けられ、Ｙ方向の他端がネジ（図示省略）により取付壁１０９Ｂの内側面に取り付けられて、本体フレーム１０８と本体フレーム１０９との間に架設されている。また、タイバー１０６には、Ｙ方向及びＺ方向の中央部に、コンパイルトレイ１０２を取り付けるための取付孔１０６Ａが形成されている。
【００５３】
（コンパイルトレイ）
コンパイルトレイ１０２は、一例として、ＡＢＳ（アクリロニトリル、ブタジエン、スチレン共重合合成樹脂）で構成されている。そして、図３に示すように、コンパイルトレイ１０２は、記録用紙Ｐが載せられる板部１０２Ａと、板部１０２ＡのＴ方向一端部でＺ方向の下側に折り曲げられた取付部１０２Ｂとを有している。また、コンパイルトレイ１０２には、Ｔ方向におけるエンドウォール部１５０が設けられた側の端部付近に、厚み方向に貫通した案内孔１０２Ｃ、１０２Ｄが形成されている。
【００５４】
案内孔１０２Ｃは、Ｙ方向に長い長孔であり、コンパイルトレイ１０２のＹ方向端部付近からＹ方向中央部まで形成されている。また、案内孔１０２Ｃは、後述するタンパ１０４Ａの軸部１８２Ｃを挿入可能な大きさとなっており、軸部１８２Ｃが案内孔１０２Ｃの縁部と接触することで、タンパ１０４ＡをＹ方向に沿って案内するようになっている。
【００５５】
案内孔１０２Ｄは、Ｙ方向に長い長孔であり、コンパイルトレイ１０２のＹ方向端部付近からＹ方向中央部まで形成されている。なお、案内孔１０２Ｄは、案内孔１０２ＣよりもＴ方向一端部側にずらして形成されている。また、案内孔１０２Ｄは、後述するタンパ１０４Ｂの軸部１８３Ｃを挿入可能な大きさとなっており、軸部１８３Ｃが案内孔１０２Ｄの縁部と接触することで、タンパ１０４ＢをＹ方向に案内するようになっている。
【００５６】
さらに、図２（Ｂ）に示すように、コンパイルトレイ１０２には、取付部１０２ＢのＹ方向及びＺ方向中央にＸ方向に貫通した貫通孔１０２Ｅが形成されている。ここで、タイバー１０６の取付孔１０６Ａの中央位置と、貫通孔１０２Ｅの中央位置とを合わせた状態で、ネジ１１０が貫通孔１０２Ｅ及び取付孔１０６Ａに締結されている。これにより、コンパイルトレイ１０２のＴ方向における一方の端部が、タイバー１０６及び本体フレーム１０８、１０９に取り付けられている。なお、一例として、コンパイルトレイ１０２は、Ｙ方向の中央部のみがタイバー１０６に取り付けられている。
【００５７】
コンパイルトレイ１０２の取付部１０２Ｂをタイバー１０６（及び本体フレーム１０８、１０９）に取り付けた状態では、コンパイルトレイ１０２の板部１０２Ａの面内方向が、Ｔ−Ｙ面に沿って配置される。そして、コンパイルトレイ１０２は、Ｔ方向における他方の端部が自由端である片持ち状態となっており、この他方の端部がＺ方向（上下方向）に変位可能となっている。
【００５８】
（タンパ）
図３に示すように、タンパ１０４Ａは、板部１０２Ａ上に配置された底板１８２Ａと、底板１８２ＡのＹ方向一端部で直立し、記録用紙ＰのＹ方向一端部を位置決めする壁部１８２Ｂとを有している。タンパ１０４Ｂは、板部１０２Ａ上に配置された底板１８３Ａと、底板１８３ＡのＹ方向他端部で直立し、記録用紙ＰのＹ方向他端部を位置決めする壁部１８３Ｂとを有している。
【００５９】
また、図６に示すように、タンパ１０４Ａは、底板１８２ＡのＹ方向の一端部の下面からＨ方向下側に突出した角柱状の軸部１８２Ｃと、軸部１８２ＣのＨ方向下端からＹ方向に沿って延びる板状のラック１８２Ｄとを有している。軸部１８２Ｃは、既述のように、案内孔１０２Ｃ内に挿入され、案内孔１０２Ｃの縁部と接触することでＹ方向に沿って往復移動可能となっている。また、ラック１８２ＤのＴ方向の幅は、案内孔１０２ＣのＴ方向の幅よりも広くなっている。そして、ラック１８２Ｄには、複数の歯部１８２Ｅが形成されている。
【００６０】
タンパ１０４Ｂは、底板１８３ＡのＹ方向の他端部の下面からＨ方向下側に突出した角柱状の軸部１８３Ｃと、軸部１８３ＣのＨ方向下端からＹ方向に沿って延びる板状のラック１８３Ｄとを有している。軸部１８３Ｃは、既述のように、案内孔１０２Ｄ内に挿入され、案内孔１０２Ｄの縁部と接触することでＹ方向に沿って往復移動可能となっている。また、ラック１８３ＤのＴ方向の幅は、案内孔１０２ＤのＴ方向の幅よりも広くなっている。そして、ラック１８３Ｄには、複数の歯部１８３Ｅが形成されている。
【００６１】
複数の歯部１８２Ｅと複数の歯部１８３Ｅは、同じ大きさであり、Ｔ方向で対向している。また、複数の歯部１８２Ｅ及び複数の歯部１８３Ｅには、板部１０２ＡのＨ方向下側に配置されたピニオン１８４の複数の歯部が噛み合っている。ピニオン１８４は、モータ１８６により回転駆動されるようになっている。そして、ピニオン１８４の回転により、タンパ１０４Ａ及びタンパ１０４Ｂが、Ｙ方向で接近し、又はＹ方向で離れるようになっている。これにより、タンパ１０４Ａとタンパ１０４Ｂとの間隔が、記録用紙ＰのＹ方向の幅に合わせて変更可能となっている。
【００６２】
また、図７に示すように、タンパ１０４Ａは、コンパイルトレイ１０２のＴ方向の中央部で且つＹ方向の一端部において、一例として、Ｙ方向の幅が異なる記録用紙Ｐ１、Ｐ２に合わせてＹ方向に沿って移動する。これにより、タンパ１０４Ａの移動範囲Ｓ１は、Ｙ方向を長手方向とする長方形状になっている。なお、タンパ１０４Ａの移動範囲Ｓ１は、既述のステープルヘッド１６２の移動範囲Ｓ３と異なっており、移動範囲Ｓ３とは重なっていない。
【００６３】
同様に、タンパ１０４Ｂは、コンパイルトレイ１０２のＴ方向の中央部で且つＹ方向の他端部において、記録用紙Ｐ１、Ｐ２の幅に合わせてＹ方向に沿って移動する。これにより、タンパ１０４Ｂの移動範囲Ｓ２は、Ｙ方向を長手方向とする長方形状になっている。なお、タンパ１０４Ｂの移動範囲Ｓ２は、既述のステープルヘッド１６２の移動範囲Ｓ３と異なっており、移動範囲Ｓ３とは重なっていない。
【００６４】
（第１ゴム材）
図５に示すように、Ｔ方向におけるコンパイルトレイ１０２の他方の端部で且つＹ方向一端側とブラケット１７２との間には、コンパイルトレイ１０２を支持する支持部材の一例としての第１ゴム材１９２が配置されている。具体的には、ブラケット１７２の板状部１７２Ａ上に第１ゴム材１９２が接着剤で固定されており、第１ゴム材１９２上にコンパイルトレイ１０２の他方の端部が載ることで、コンパイルトレイ１０２が第１ゴム材１９２に支持されている。第１ゴム材１９２は、一例として、板状のシリコンゴムで構成され、コンパイルトレイ１０２の振動の減衰を可能とする厚みとされている。
【００６５】
Ｔ方向におけるコンパイルトレイ１０２の他方の端部で且つＹ方向他端側とブラケット１７４との間には、コンパイルトレイ１０２を支持する支持部材の一例としての第１ゴム材１９３が配置されている。具体的には、ブラケット１７４の板状部１７４Ａ上に第１ゴム材１９３が接着剤で固定されており、第１ゴム材１９３上にコンパイルトレイ１０２の他方の端部が載ることで、コンパイルトレイ１０２が第１ゴム材１９３に支持されている。第１ゴム材１９３は、一例として、板状のシリコンゴムで構成され、コンパイルトレイ１０２の振動の減衰を可能とする厚みとされている。
【００６６】
（第２ゴム材）
図５に示すように、Ｙ方向におけるコンパイルトレイ１０２の一端部と側壁１０８Ａとの間には、振動を吸収する吸収部材の一例としての第２ゴム材１９４が設けられている。第２ゴム材１９４は、直方体状のシリコンゴムで構成され、コンパイルトレイ１０２の一端部と側壁１０８Ａとで挟まれている。また、第２ゴム材１９４は、Ｔ方向においてタイバー１０６と第１ゴム材１９２との間に配置されている。
【００６７】
一方、Ｙ方向におけるコンパイルトレイ１０２の他端部と側壁１０９Ａとの間には、振動を吸収する吸収部材の一例としての第２ゴム材１９５が設けられている。第２ゴム材１９５は、直方体状のシリコンゴムで構成され、コンパイルトレイ１０２の他端部と側壁１０９Ａとで挟まれている。また、第２ゴム材１９５は、Ｔ方向においてタイバー１０６と第１ゴム材１９３との間に配置されている。
【００６８】
[作用]
次に、本実施形態の作用について説明する。
【００６９】
図８に示すように、タンパ１０４Ａ、１０４Ｂが、記録用紙Ｐ（図示省略）を位置決めする（揃える）ためにモータ１８６で駆動されＹ方向に移動したとき、この駆動及び移動によって、コンパイルトレイ１０２が振動する。なお、図８では、タンパ１０４Ａ、１０４Ｂの動作に起因するコンパイルトレイ１０２の振動をＶ１、ステープルヘッド１６２の動作に起因するコンパイルトレイ１０２の振動をＶ２で示している。また、図８では、案内孔１０２Ｃ、１０２Ｄ（図６参照）の図示を省略している。
【００７０】
ここで、用紙揃え部１００では、コンパイルトレイ１０２が片持ち状態で本体フレーム１０８、１０９に取り付けられている。これにより、コンパイルトレイ１０２から本体フレーム１０８、１０９への振動の伝達経路が、コンパイルトレイ１０２のＹ方向両端部を固定したものと比べて少なくなるので、本体フレーム１０８、１０９に振動Ｖ１、Ｖ２が伝わることが抑制される。そして、用紙揃え部１００では、コンパイルトレイ１０２から本体フレーム１０８、１０９に振動Ｖ１、Ｖ２が伝わることで生じる音の大きさが低減される。
【００７１】
また、用紙揃え部１００では、コンパイルトレイ１０２が樹脂で構成されているので、金属で構成されたものと比べて、コンパイルトレイ１０２での振動の内部減衰が多くなる。これにより、用紙揃え部１００では、コンパイルトレイ１０２から本体フレーム１０８、１０９に振動Ｖ１、Ｖ２が伝わることがさらに抑制される。そして、本体フレーム１０８、１０９に振動Ｖ１、Ｖ２が伝わることで生じる音の大きさがさらに低減される。
【００７２】
さらに、用紙揃え部１００では、コンパイルトレイ１０２のＴ方向の一端部のＹ方向中央部のみが、１本のネジ１１０でタイバー１０６に取り付けられている。このため、コンパイルトレイ１０２のＴ方向の一端部全体をタイバー１０６に取り付けた構成に比べて、振動Ｖ１、Ｖ２が伝わる部位が小さいので、本体フレーム１０８、１０９に振動Ｖ１、Ｖ２が伝わることがさらに抑制される。そして、本体フレーム１０８、１０９に振動Ｖ１、Ｖ２が伝わることで生じる音の大きさがさらに低減される。
【００７３】
加えて、用紙揃え部１００では、コンパイルトレイ１０２のＴ方向の他端部における振動Ｖ１、Ｖ２が、コンパイルトレイ１０２を支持する第１ゴム材１９２、１９３で吸収（減衰）される。これにより、用紙揃え部１００では、Ｔ方向におけるコンパイルトレイ１０２の両端部が本体フレーム１０８、１０９に固定された構成に比べて、本体フレーム１０８、１０９に振動Ｖ１、Ｖ２が伝わることがさらに抑制される。そして、本体フレーム１０８、１０９に振動Ｖ１、Ｖ２が伝わることで生じる音の大きさがさらに低減される。
【００７４】
加えて、用紙揃え部１００では、コンパイルトレイ１０２のＹ方向の両端部における振動Ｖ１が、第２ゴム材１９４、１９５で吸収（減衰）される。これにより、用紙揃え部１００では、Ｙ方向におけるコンパイルトレイ１０２の両端部が本体フレーム１０８、１０９に固定された構成に比べて、本体フレーム１０８、１０９に振動Ｖ１が伝わることがさらに抑制される。そして、本体フレーム１０８、１０９に振動Ｖ１が伝わることで生じる音の大きさがさらに低減される。
【００７５】
さらに、用紙揃え部１００では、コンパイルトレイ１０２が、ステープルヘッド１６２が設けられた側とは反対側の端部（Ｔ方向の一端部）で、ネジ１１０によりタイバー１０６に締結されている。すなわち、コンパイルトレイ１０２におけるネジ１１０で締結された部位は、タンパ１０４Ａ、１０４Ｂの移動範囲Ｓ１、Ｓ２、及びステープルヘッド１６２の移動範囲Ｓ３から最も離れた部位となっている。
【００７６】
このため、用紙揃え部１００では、移動範囲Ｓ１、Ｓ２、Ｓ３に隣接する部位でコンパイルトレイ１０２を本体フレーム１０８、１０９に締結した構成に比べて、本体フレーム１０８、１０９までの振動Ｖ１、Ｖ２を減衰させる経路が長く（減衰範囲が広く）なる。これにより、用紙揃え部１００では、コンパイルトレイ１０２を振動させる振動源が複数あっても、本体フレーム１０８、１０９に振動Ｖ１、Ｖ２が伝わることがさらに抑制される。そして、本体フレーム１０８、１０９に振動Ｖ１、Ｖ２が伝わることで生じる音の大きさがさらに低減される。
【００７７】
なお、本発明は上記の実施形態に限定されない。
【００７８】
用紙揃え部１００において、コンパイルトレイ１０２は、平坦な面を有するものに限らず、リブ状の絞りが形成されたものであってもよい。この絞りにより、振動Ｖ１、Ｖ２が低減され、本体フレーム１０８、１０９に伝わることで生じる音の大きさがさらに低減される。
【００７９】
また、用紙揃え部１００において、コンパイルトレイ１０２は、金属製であってもよく、一例として、ＳＵＳ材で構成されていてもよい。コンパイルトレイ１０２自体を制振材で構成してもよい。
【００８０】
さらに、用紙揃え部１００において、用紙処理手段の他の例として、ステープル機構部１６０に換えて記録用紙Ｐに貫通孔を形成するパンチャーが設けられていてもよい。また、ステープル機構部１６０に換えて、ステープル機能及び貫通孔形成機能を併せ持つ機構部を設けてもよい。
【００８１】
加えて、タンパ１０４Ａ、１０４Ｂの駆動手段の他の例として、ラック１８２Ｄ、１８３Ｄ、及びピニオン１８４に換えて、回転駆動される複数の回転体と、この回転体に巻き掛けられたベルトとを用いて、タンパ１０４Ａ、１０４Ｂを移動させてもよい。
【００８２】
また、コンパイルトレイ１０２は、Ｔ方向を長手方向、Ｙ方向を短手方向とする長方形状であってもよい。さらに、コンパイルトレイ１０２は、平面視して、円形や楕円形、その他の多角形状であってもよい。
【００８３】
さらに、コンパイルトレイ１０２は、タイバー１０６を介さずに、直接、本体フレーム１０８、１０９に取り付けるものであってもよい。
【００８４】
加えて、第１ゴム材１９２、１９３及び第２ゴム材１９４、１９５は、本実施形態とは異なる形状のものであってもよい。また、第１ゴム材１９２、１９３及び第２ゴム材１９４、１９５は、それぞれ１つに限らず、それぞれ複数のゴム材で構成されていてもよい。
【００８５】
さらに、コンパイルトレイ１０２は、Ｙ方向の中央のみでタイバー１０６に締結されるものに限らず、Ｙ方向の中央部及び両端部の複数箇所で締結されるものであってもよい。
【００８６】
加えて、用紙揃え部１００において、複数の記録用紙Ｐをステープル機構部１６０で綴じずに外部へ排出してもよい。
【００８７】
また、取付手段は、ネジ１１０に限らず、ボルト及びナットであってもよい。さらに、取付手段が、接着剤を含んでいてもよい。
【符号の説明】
【００８８】
１００  用紙揃え部（用紙処理装置の一例）
１０２  コンパイルトレイ（用紙台の一例）
１０２Ａ  板部
１０４Ａ  タンパ（位置決め部材の一例）
１０４Ｂ  タンパ（位置決め部材の一例）
１０６  タイバー（装置本体の一例）
１０８  本体フレーム（装置本体の一例）
１０９  本体フレーム（装置本体の一例）
１１０  ネジ（取付手段の一例）
１６０  ステープル機構部（用紙処理手段の一例）
１９２  第１ゴム材（支持部材の一例）
１９３  第１ゴム材（支持部材の一例）
１９４  第２ゴム材（吸収部材の一例）
１９５  第２ゴム材（吸収部材の一例）
Ｐ  記録用紙（用紙の一例）
【図１】
2015009990.tif 000003
【図２】
2015009990.tif 000004
【図３】
2015009990.tif 000005
【図４】
2015009990.tif 000006
【図５】
2015009990.tif 000007
【図６】
2015009990.tif 000008
【図７】
2015009990.tif 000009
【図８】
2015009990.tif 000010